(57)【要約】  本開示の実施形態は、制御状態情報（ＣＳＩ）伝送のための方法及び装置に関する。例示的な実施形態では、端末デバイスで実行される方法が提供される。この方法によれば、ネットワークデバイスからＤＣＩを受信したことに応答して、少なくともＤＣＩに基づいて、ＣＳＩをネットワークデバイスに伝送するための構成が決定される。ＤＣＩは、ＣＳＩを決定するためのＣＳＩ−ＲＳ及びＣＳＩに関連するタイミング情報を示す。ネットワークデバイスからＣＳＩ−ＲＳを受信したことに応答して、ＣＳＩ−ＲＳを測定することによってＣＳＩが決定される。ＣＳＩは、構成に基づいてネットワークデバイスに伝送される。【選択図】図４
2021510250.tif 000002
【特許請求の範囲】
【請求項１】
端末デバイスで実行される方法であって、
チャネル状態情報（ＣＳＩ：Ｃｈａｎｎｅｌ  Ｓｔａｔｅ  Ｉｎｆｏｒｍａｔｉｏｎ）を決定するためのチャネル状態情報参照信号（ＣＳＩ−ＲＳ：Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）及び前記ＣＳＩに関連するタイミング情報を示すダウンリンク制御情報（ＤＣＩ：Ｄｏｗｎｌｉｎｋ  Ｃｏｎｔｒｏｌ  Ｉｎｆｏｒｍａｔｉｏｎ）をネットワークデバイスから受信したことに応答して、少なくとも前記ＤＣＩに基づいて、前記ＣＳＩを前記ネットワークデバイスに伝送するための構成を決定することと、
前記ネットワークデバイスから前記ＣＳＩ−ＲＳを受信したことに応答して、前記ＣＳＩ−ＲＳを測定することによって前記ＣＳＩを決定することと、
前記構成に基づいて、前記ＣＳＩを前記ネットワークデバイスに伝送することと、
を有する方法。
【請求項２】
前記タイミング情報は、前記ネットワークデバイスが非周期的ＣＳＩ−ＲＳを伝送するための第１の時間オフセット、前記端末デバイスが前記ＣＳＩを伝送するための第２の時間オフセット、及び物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）伝送のための第３の時間オフセットのうちの少なくとも１つを含む、
請求項１に記載の方法。
【請求項３】
前記構成を決定することは、
前記第１の時間オフセット、前記第２の時間オフセット及び前記第３の時間オフセットの少なくとも１つに基づいて、時間領域で前記ＣＳＩを伝送するための位置を決定することを、有する、
請求項２に記載の方法。
【請求項４】
前記タイミング情報は、前記第２の時間オフセットを含み、
前記ＣＳＩを伝送するための位置を決定することは、
時間領域で前記第２の時間オフセットの開始位置を決定することと、
前記開始位置及び前記第２の時間オフセットに基づいて、時間領域で前記ＣＳＩを伝送するための位置を決定することと、
を有する、
請求項３に記載の方法。
【請求項５】
前記第２の時間オフセットの開始位置を決定することは、
前記ＣＳＩが周期的又は半永続的ＣＳＩ−ＲＳに基づいて決定されることを示す前記ＤＣＩに応答して、前記第２の時間オフセットの開始位置を、前記ＤＣＩを搬送する物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）の最後のシンボルとして決定することを、有する、
請求項４に記載の方法。
【請求項６】
前記第２の時間オフセットの開始位置を決定することは、
前記ＣＳＩが前記非周期的ＣＳＩ−ＲＳに基づいて決定されることを示す前記ＤＣＩに応答して、前記第２の時間オフセットの開始位置を、前記非周期的ＣＳＩ−ＲＳの最後のシンボルとして決定することを、有する、
請求項４に記載の方法。
【請求項７】
前記タイミング情報は、前記第１の時間オフセット、前記第２の時間オフセット及び前記第３の時間オフセットを含み、
前記ＣＳＩを伝送するための位置を決定することは、
前記第１の時間オフセット、前記第２の時間オフセット及び前記第３の時間オフセットの間の関係に基づいて、時間領域で前記ＣＳＩを伝送するための位置を決定すること、
を有する、
請求項３に記載の方法。
【請求項８】
前記ＣＳＩを伝送するための位置を決定することは、
前記第１の時間オフセット、前記第２の時間オフセット及び前記第３の時間オフセットのうちの少なくとも１つについて、少なくとも１つの粒度を決定することと、
前記少なくとも１つの粒度に基づいて、時間領域で前記ＣＳＩを伝送するための位置を決定することと、
を有する、
請求項３に記載の方法。
【請求項９】
前記構成を決定することは、
前記ＣＳＩを前記ネットワークデバイスに伝送するためのチャネルを決定することを、有する、
請求項１に記載の方法。
【請求項１０】
前記構成は、前記ＣＳＩがＰＵＳＣＨで伝送されることを示し、
前記ＣＳＩを前記ネットワークデバイスに伝送することは、
所定の閾値を下回るＰＵＳＣＨ伝送のためのコードレートに応答して、ＰＵＳＣＨで前記ＣＳＩを前記ネットワークデバイスに伝送することを、有する、
請求項９に記載の方法。
【請求項１１】
前記ＣＳＩが非周期的であり、前記ＣＳＩを決定するための前記ＣＳＩ−ＲＳが周期的、半永続的又は非周期的である、請求項１に記載の方法。
【請求項１２】
ネットワークデバイスで実行される方法であって、
端末デバイスがチャネル状態情報（ＣＳＩ：Ｃｈａｎｎｅｌ  Ｓｔａｔｅ  Ｉｎｆｏｒｍａｔｉｏｎ）を決定するためのチャネル状態情報参照信号（ＣＳＩ−ＲＳ：Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）、及び前記ＣＳＩに関連するタイミング情報を示すダウンリンク制御情報（ＤＣＩ：Ｄｏｗｎｌｉｎｋ  Ｃｏｎｔｒｏｌ  Ｉｎｆｏｒｍａｔｉｏｎ）を、前記端末デバイスに伝送することと、
少なくとも前記ＤＣＩに基づいて、前記端末デバイスから前記ＣＳＩを受信するための構成を決定することと、
前記構成に基づいて、前記端末デバイスから前記ＣＳＩを受信することと、
を有する方法。
【請求項１３】
前記タイミング情報は、前記ネットワークデバイスが非周期的ＣＳＩ−ＲＳを伝送するための第１の時間オフセット、前記端末デバイスが前記ＣＳＩを伝送するための第２の時間オフセット、及び物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）伝送のための第３の時間オフセットのうちの少なくとも１つを含む、
請求項１２に記載の方法。
【請求項１４】
前記構成を決定することは、
前記第１の時間オフセット、前記第２の時間オフセット及び前記第３の時間オフセットの少なくとも１つに基づいて、時間領域で前記ＣＳＩを受信するための位置を決定することを、有する、
請求項１３に記載の方法。
【請求項１５】
前記タイミング情報は、前記第２の時間オフセットを含み、
前記ＣＳＩを受信するための位置を決定することは、
時間領域で前記第２の時間オフセットの開始位置を決定することと、
前記開始位置及び前記第２の時間オフセットに基づいて、時間領域で前記ＣＳＩを受信するための位置を決定することと、
を有する、
請求項１４に記載の方法。
【請求項１６】
前記第２の時間オフセットの開始位置を決定することは、
周期的又は半永続的ＣＳＩ−ＲＳに基づいて前記ＣＳＩが決定されることを示す前記ＤＣＩに応答して、前記第２の時間オフセットの開始位置を、前記ＤＣＩを搬送する物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）の最後のシンボルとして決定することを、有する、
請求項１５に記載の方法。
【請求項１７】
前記第２の時間オフセットの開始位置を決定することは、
前記ＣＳＩが前記非周期的ＣＳＩ−ＲＳに基づいて決定されることを示す前記ＤＣＩに応答して、前記第２の時間オフセットの開始位置を、前記非周期的ＣＳＩ−ＲＳの最後のシンボルとして決定することを、有する、
請求項１５に記載の方法。
【請求項１８】
前記タイミング情報は、前記第１の時間オフセット、前記第２の時間オフセット及び前記第３の時間オフセットを含み、
前記ＣＳＩを受信するための位置を決定することは、
前記第１の時間オフセット、前記第２の時間オフセット及び前記第３の時間オフセットの間の関係に基づいて、時間領域で前記ＣＳＩを受信するための位置を決定することを、有する、
請求項１４に記載の方法。
【請求項１９】
前記ＣＳＩを受信するための位置を決定することは、
前記第１の時間オフセット、前記第２の時間オフセット及び前記第３の時間オフセットのうちの少なくとも１つについて、少なくとも１つの粒度を決定することと、
前記少なくとも１つの粒度に基づいて、時間領域で前記ＣＳＩを受信するための位置を決定することと、
を有する、
請求項１４に記載の方法。
【請求項２０】
前記ＣＳＩが非周期的であり、前記ＣＳＩを決定するための前記ＣＳＩ−ＲＳが周期的、半永続的又は非周期的である、請求項１２に記載の方法。
【請求項２１】
プロセッサと、
前記プロセッサに接続され、命令が格納されるメモリと、
を備え、
前記命令が前記プロセッサによって実行されると、請求項１〜１１のいずれか一項に記載の方法を実行する、
端末デバイス。
【請求項２２】
プロセッサと、
前記プロセッサに接続され、命令が格納されるメモリと、
を備え、
前記命令が前記プロセッサによって実行されると、請求項１２〜２０のいずれか一項に記載の方法を実行する、
ネットワークデバイス。
【請求項２３】
少なくとも１つのプロセッサで実行されると、前記少なくとも１つのプロセッサに請求項１〜１１のいずれか一項に記載の方法を実行させる命令が格納されたコンピュータ読み取り可能な媒体。
【請求項２４】
少なくとも１つのプロセッサで実行されると、前記少なくとも１つのプロセッサに請求項１２〜２０のいずれか一項に記載の方法を実行させる命令が格納されたコンピュータ読み取り可能な媒体。
【発明の詳細な説明】
【技術分野】
【０００１】
本開示の実施形態は、一般的に、電気通信分野に関し、特に、チャネル状態情報（ＣＳＩ：Channel State Information）伝送のための方法及び装置に関する。
【背景技術】
【０００２】
通信技術の発展に伴い、複数のタイプのサービス又はトラフィックが提案されている。例えば、一般的に高いデータレートを必要とする拡張モバイルブロードバンド（ｅＭＢＢ：ｅｎｈａｎｃｅｄ  Ｍｏｂｉｌｅ  Ｂｒｏａｄｂａｎｄ）、通常、長いバッテリ寿命を必要とする大規模マシンタイプ通信（ｍＭＴＣ：ｍａｓｓｉｖｅ  Ｍａｃｈｉｎｅ  Ｔｙｐｅ  Ｃｏｍｍｕｎｉｃａｔｉｏｎｓ）、及び超高信頼性・低遅延通信（ＵＲＬＬＣ：Ｕｌｔｒａ  Ｒｅｌｉａｂｌｅ  ａｎｄ  Ｌｏｗ  Ｌａｔｅｎｃｙ  Ｃｏｍｍｕｎｉｃａｔｉｏｎ）がある。一方、ビーム管理、参照信号（ＲＳ：Ｒｅｆｅｒｅｎｃｅ  Ｓｉｇｎａｌ）伝送などのマルチアンテナ方式は、新しい無線アクセス（ＮＲ：Ｒａｄｉｏ  Ａｃｃｅｓｓ）のために研究されている。特に、構成可能なＣＳＩレポートは、新しく設計されたＲＳ及びフレーム構造に基づいて検討されている。
【０００３】
一般的に言えば、ネットワークデバイスと端末デバイスとの間のダウンリンクチャネルのＣＳＩを取得するために、ネットワークデバイスは、チャネル状態情報参照信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）を端末デバイスに伝送することができる。端末デバイスは、ネットワークデバイスからＣＳＩ−ＲＳを受信し、ＣＳＩ−ＲＳを測定することによってＣＳＩを取得することができる。端末デバイスは、ＣＳＩをネットワークデバイスにレポートすることができる。ＣＳＩをレポートするプロセスは、「ＣＳＩフィードバック」とも呼ばれる。
【０００４】
ＮＲにおいて、ＣＳＩフィードバックに関連する異なる時間オフセットが３ＧＰＰ仕様の作業で設計され、且つ、合意されている。ただし、これらの異なるオフセットに基づくＣＳＩレポートの詳細なソリューションはまだ提供されていない。
【発明の概要】
【発明が解決しようとする課題】
【０００５】
概して、本開示の例示的な実施形態は、ＣＳＩ伝送のための方法及び装置を提供する。
【課題を解決するための手段】
【０００６】
第１の態様では、端末デバイスで実行される方法が提供される。この方法によれば、ネットワークデバイスからＤＣＩを受信したことに応答して、少なくともＤＣＩに基づいて、ＣＳＩをネットワークデバイスに伝送するための構成が決定される。ＤＣＩは、ＣＳＩを決定するためのＣＳＩ−ＲＳ及びＣＳＩに関連するタイミング情報を示す。ネットワークデバイスからＣＳＩ−ＲＳを受信したことに応答して、ＣＳＩ−ＲＳを測定することによって、ＣＳＩが決定される。ＣＳＩは、構成に基づいてネットワークデバイスに伝送される。
【０００７】
第２の態様では、ネットワークデバイスで実行される方法が提供される。この方法によれば、ＤＣＩが端末デバイスに伝送される。ＤＣＩは、端末デバイスがＣＳＩを決定するためのＣＳＩ−ＲＳとＣＳＩに関連するタイミング情報を示す。端末デバイスからＣＳＩを受信するための構成は、少なくともＤＣＩに基づいて決定される。ＣＳＩは、構成に基づいて端末デバイスから受信される。
【０００８】
第３の態様では、端末デバイスが提供される。端末デバイスは、プロセッサと、プロセッサに接続されているメモリとを備える。メモリは、プロセッサによって実行されると、端末デバイスに動作を実行させる命令を格納する。動作は、ネットワークデバイスからダウンリンク制御情報（ＤＣＩ）を受信したことに応答して、少なくともＤＣＩに基づいて、チャネル状態情報（ＣＳＩ）をネットワークデバイスに伝送するための構成を決定することと、ネットワークデバイスからＣＳＩ−ＲＳを受信したことに応答して、ＣＳＩ−ＲＳを測定することによって、ＣＳＩを決定することと、構成に基づいて、ＣＳＩをネットワークデバイスに伝送することと、を有する。ここで、ＤＣＩは、ＣＳＩを決定するためのチャネル状態情報参照信号（ＣＳＩ−ＲＳ）及びＣＳＩに関連するタイミング情報を示す。
【０００９】
第４の態様では、ネットワークデバイスが提供される。端末デバイスは、プロセッサと、プロセッサに接続されているメモリとを備える。メモリは、プロセッサによって実行されると、ネットワークデバイスに動作を実行させる命令を格納する。動作は、ダウンリンク制御情報（ＤＣＩ）を端末デバイスに伝送することと、少なくともＤＣＩに基づいて、端末デバイスからチャネル状態情報（ＣＳＩ）を受信するための構成を決定することと、構成に基づいて、端末デバイスからＣＳＩを受信することを、有する。ここで、ＤＣＩは、端末デバイスがＣＳＩを決定するためのチャネル状態情報参照信号（ＣＳＩ−ＲＳ）とＣＳＩに関連するタイミング情報を示す。
【００１０】
第５の態様では、命令が格納されたコンピュータ読み取り可能な媒体が提供される。命令は、少なくとも１つのプロセッサで実行されると、少なくとも１つのプロセッサに本開示の第１の態様による方法を実行させる。
【００１１】
第６の態様では、命令が格納されたコンピュータ読み取り可能な媒体が提供される。命令は、少なくとも１つのプロセッサで実行されると、少なくとも１つのプロセッサに本開示の第２の態様による方法を実行させる。
【００１２】
第７の態様では、コンピュータ読み取り可能な記憶媒体に有形に格納されたコンピュータプログラム製品が提供される。コンピュータプログラム製品は、少なくとも１つのプロセッサで実行されると、少なくとも１つのプロセッサに本開示の第１の態様または第２の態様による方法を実行させる命令を含む。
【００１３】
本開示の他の特徴は、以下の説明を通して容易に理解可能になる。
【図面の簡単な説明】
【００１４】
添付図面を参照しながら本開示のいくつかの実施形態をより詳細に説明することを通じて、本開示の上記及び他の目的、特徴及び利点がより明らかになる。
【００１５】
【図１】本開示の実施形態を実施することができる通信環境１００のブロック図である。
【００１６】
【図２】本開示のいくつかの実施形態に係るＣＳＩ伝送のためのプロセスを示す図である。
【００１７】
【図３Ａ】本開示のいくつかの実施形態に係る例を示す。
【図３Ｂ】本開示のいくつかの実施形態に係る例を示す。
【図３Ｃ】本開示のいくつかの実施形態に係る例を示す。
【００１８】
【図４】本開示のいくつかの実施形態に係るＣＳＩ伝送のための例示的な方法４００のフローチャートを示す。
【００１９】
【図５】本開示のいくつかの実施形態に係るＣＳＩ伝送のための例示的な方法５００のフローチャートを示す。
【００２０】
【図６】本開示の実施形態の実施に適するデバイスの簡略的なブロック図である。
【００２１】
図面全体において、同一又は類似の参照番号は、同一又は類似の要素を表す。
【発明を実施するための形態】
【００２２】
本開示の原理は、いくつかの例示的な実施形態を参照して説明される。これらの実施形態は、例示の目的で記載されることにすぎず、本開示の範囲に関する制限を示唆することなく、当業者が本開示を理解及び実施するのを助けることを理解されたい。本明細書で説明される開示は、以下で説明されるもの以外の様々な方法で実施されることができる。
【００２３】
以下の説明及び特許請求の範囲において、別途定義されない限り、本明細書で使用されるすべての技術用語及び科学用語は、本開示が属する技術分野の当業者に一般的に理解されるのと同じ意味を有する。
【００２４】
本明細書で使用されるとき、「ネットワークデバイス」又は「基地局」（ＢＳ：Ｂａｓｅ  Ｓｔａｔｉｏｎ）という用語は、端末デバイスが通信できるセル又はカバレッジを提供し、又はホストすることができるデバイスを指す。ネットワークデバイスの例として、Ｎｏｄｅ  Ｂ（ＮｏｄｅＢ又はＮＢ）、Ｅｖｏｌｖｅｄ  ＮｏｄｅＢ（ｅＮｏｄｅＢ又はｅＮＢ）、次世代ＮｏｄｅＢ（ｇＮＢ）、送受信ポイント（ＴＲＰ：Ｔｒａｎｓｍｉｓｓｉｏｎ  ａｎｄ  Ｒｅｃｅｐｔｉｏｎ  Ｐｏｉｎｔ）、リモート無線ユニット（ＲＲＵ：Ｒｅｍｏｔｅ  Ｒａｄｉｏ  Ｕｎｉｔ）、無線ヘッド（ＲＨ：Ｒａｄｉｏ  Ｈｅａｄ）、リモート無線ヘッド（ＲＲＨ：Ｒｅｍｏｔｅ  Ｒａｄｉｏ  Ｈｅａｄ）、及びフェムトノードやピコノードなどの低電力ノードなどが挙げられるが、これらに限定されない。検討の目的のために、以下、ネットワークデバイスの例としてｇＮＢを参照していくつかの実施形態を説明する。
【００２５】
本明細書で使用されるとき、「端末デバイス」という用語は、無線又は有線の通信機能を有する任意の装置を指す。端末デバイスの例として、ユーザ機器（ＵＥ：Ｕｓｅｒ  Ｅｑｕｉｐｍｅｎｔ）、パーソナルコンピュータ、デスクトップ、移動電話、セルラー電話、スマートフォン、携帯情報端末（ＰＤＡ：Ｐｅｒｓｏｎａｌ  Ｄｉｇｉｔａｌ  Ａｓｓｉｓｔａｎｔ）、ポータブルコンピュータ、デジタルカメラなどの画像キャプチャデバイス、ゲームデバイス、音楽記憶及び再生機器、又は無線や有線インターネットアクセス及びブラウジングなどを可能にするインターネット機器が挙げられるが、それらには限定されない。検討の目的のために、以下では、端末デバイスの例としてＵＥを参照していくつかの実施形態を説明する。
【００２６】
本明細書で使用されるとき、単数形である「１つ（ａ）」、「１つ（ａｎ）」、及び「上記（ｔｈｅ」は、文脈からそうでないことが明確に示されていない限り、複数形も含むことを意図している。「含む」という用語及びその変形は、「含むがこれに限定されない」ことを意味するオープンな用語として読まれる。「に基づいて」という用語は、「少なくとも部分的に基づいて」と読まれる。「一実施形態」及び「実施形態」という用語は、「少なくとも一実施形態」と読まれる。「別の実施形態」という用語は、「少なくとも１つの他の実施形態」と読まれる。「第１」、「第２」などの用語は、異なるオブジェクト又は同じオブジェクトを指す。明示的及び暗黙的なその他の定義は、以下に含まれる。
【００２７】
いくつかの例では、値、手順、又は装置は、「最良」、「最低」、「最高」、「最小」、「最大」などとして見なされる。このような説明は、多くの使用される機能的選択肢から選択を行うことができるのを指し、このような選択は他の選択に比べてより良く、小さく、高く、又はより優れる必要はないことを意図している。
【００２８】
本開示で説明する通信は、任意の適切な規格に準拠してもよく、ここでの規格は、新無線アクセス（ＮＲ）、ロングタームエボリューション（ＬＴＥ：Ｌｏｎｇ  Ｔｅｒｍ  Ｅｖｏｌｕｔｉｏｎ）、ＬＴＥエボリューション、ＬＴＥアドバンスト（ＬＴＥ−Ａ：ＬＴＥ−Ａｄｖａｎｃｅｄ）、広帯域符号分割多元接続（ＷＣＤＭＡ（登録商標）：Ｗｉｄｅｂａｎｄ  Ｃｏｄｅ  Ｄｉｖｉｓｉｏｎ  Ｍｕｌｔｉｐｌｅ  Ａｃｃｅｓｓ）、符号分割多元アクセス（ＣＤＭＡ：Ｃｏｄｅ  Ｄｉｖｉｓｉｏｎ  Ｍｕｌｔｉｐｌｅ  Ａｃｃｅｓｓ）、及びモバイル通信用グローバルシステム（ＧＳＭ：Ｇｌｏｂａｌ  Ｓｙｓｔｅｍ  ｆｏｒ  Ｍｏｂｉｌｅ）などを含むが、これらに限定されない。さらに、通信は、現在知られている、又は将来に開発される任意の世代の通信プロトコルに従って実行されてもよい。通信プロトコルの例には、第１世代（１Ｇ）、第２世代（２Ｇ）、２．５Ｇ、２．７５Ｇ、第３世代（３Ｇ）、第４世代（４Ｇ）、４．５Ｇ、第５世代（５Ｇ）の通信プロトコルが含まれるが、これらに限定されない。
【００２９】
図１は、本開示の実施が実現され得る例示的な通信ネットワーク１００を示す。ネットワーク１００は、ネットワークデバイス１１０と、ネットワークデバイス１１０によってサービスが提供される端末デバイス１２０とを含む。ネットワークデバイス１１０のサービスエリアは、セル１０２と呼ばれる。ネットワークデバイス及び端末デバイスの数は、例示の目的に過ぎず、これらに限定される意味ではないことを理解されたい。ネットワーク１００は、本開示の実施を実現するのに適する任意の適切な数のネットワークデバイス及び端末デバイスを含み得る。図示されていないが、１つ又は複数の端末デバイスがセル１０２内に存在し、ネットワークデバイス１１０によってサービスが提供されることを理解されたい。
【００３０】
通信ネットワーク１００において、ネットワークデバイス１１０は、データ及び制御情報を端末デバイス１２０に伝送することができ、端末デバイス１２０も、データ及び制御情報をネットワークデバイス１１０に伝送することができる。ネットワークデバイス１１０から端末デバイス１２０へのリンクはダウンリンク（ＤＬ）と呼ばれ、端末デバイス１２０からネットワークデバイス１１０へのリンクはアップリンク（ＵＬ）と呼ばれる。
【００３１】
ネットワーク１００における通信は、任意の適切な規格に準拠してもよく、ここでの規格は、モバイル通信用グローバルシステム（ＧＳＭ）、ロングタームエボリューション（ＬＴＥ）、ＬＴＥエボリューション、ＬＴＥアドバンスト（ＬＴＥ−Ａ）、広帯域符号分割多元接続（ＷＣＤＭＡ）、符号分割多元接続（ＣＤＭＡ）、ＧＳＭ  ＥＤＧＥ無線アクセスネットワーク（ＧＥＲＡＮ）など、を含むが、これらに限定されない。さらに、通信は、現在知られている、又は将来に開発される任意の世代の通信プロトコルに従って実行されてもよい。通信プロトコルの例には、第１世代（１Ｇ）、第２世代（２Ｇ）、２．５Ｇ、２．７５Ｇ、第３世代（３Ｇ）、第４世代（４Ｇ）、４．５Ｇ、第５世代（５Ｇ）の通信プロトコルが含まれるが、これらに限定されない。
【００３２】
ネットワークデバイス１１０と端末デバイス１２０との間の通信チャネルのＣＳＩを取得するために、ネットワークデバイス１１０は、チャネル状態情報参照信号（ＣＳＩ−ＲＳ）を端末デバイス１２０に伝送することができる。端末デバイス１２０は、ネットワークデバイス１１０からＣＳＩ−ＲＳを受信し、ＣＳＩ−ＲＳを測定することによってチャネル情報を取得することができる。その後、端末デバイス１２０は、取得されたチャネル情報及び対応するコードブックに基づいて、通信チャネルのＣＳＩを決定することができる。例えば、取得されたチャネル情報は、対応するコードブックに基づいてＣＳＩに量子化されることができる。端末デバイス１２０は、ＣＳＩをネットワークデバイス１１０にレポートすることができる。ＣＳＩをレポートするためのプロセスは、「ＣＳＩフィードバック」とも呼ばれる。
【００３３】
端末デバイスによるＣＳＩレポートは、周期的ＣＳＩ（Ｐ−ＣＳＩ）レポート、半永続的ＣＳＩ（ＳＰ−ＣＳＩ）レポート及び非周期的ＣＳＩ（Ａ−ＣＳＩ）レポートを含み得る。Ｐ−ＣＳＩレポートは、端末デバイスが、端末デバイスへのネットワークデバイスの構成に基づいて、ＣＳＩをネットワークデバイスに周期的にフィードバックすることを指す。Ｐ−ＣＳＩは、周期的に伝送されるＣＳＩ−ＲＳ（周期的ＣＳＩ−ＲＳ（Ｐ−ＣＳＩ−ＲＳ）とも呼ばれる）に基づいて決定されることができる。ＳＰ−ＣＳＩレポートは、一つの信号によって活性化され、他の信号によって非活性化される点以外、Ｐ−ＣＳＩレポートと同じである。ＳＰ−ＣＳＩレポートが活性化されると、端末デバイスは周期的にＣＳＩをネットワークデバイスにフィードバックする。ＳＰ−ＣＳＩは、Ｐ−ＣＳＩ−ＲＳと同様又はそれに基づく半永続的ＣＳＩ−ＲＳ（ＳＰ−ＣＳＩ−ＲＳ）に基づいて決定されることができる。Ａ−ＣＳＩレポートは、ネットワークデバイスが、トリガーシグナリング（ＤＣＩなど）を介して、端末デバイスからネットワークデバイスへのＣＳＩフィードバックをトリガーすることを指す。Ａ−ＣＳＩは、トリガーシグナリング（つまり、ＤＣＩ）で指示されるＰ−ＣＳＩ−ＲＳ、ＳＰ−ＣＳＩ−ＲＳ、又は周期的なＣＳＩ−ＲＳ（Ａ−ＣＳＩ−ＲＳ）に基づいて決定されることができる。検討の目的で、以下、いくつかの実施形態について、「Ａ−ＣＳＩレポート」を参照して説明する。
【００３４】
ＮＲにおいて、Ａ−ＣＳＩレポートに関連する異なる時間オフセットが３ＧＰＰ仕様の作業で設計され、且つ合意されている。例えば、ＵＬ割り当て（例えば、ＤＣＩを搬送する物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ））がスロットＮで伝送される場合、Ａ−ＣＳＩ−ＲＳはスロットＮ＋Ｘで伝送されることが合意されている。Ａ−ＣＳＩ−ＲＳトリガーのオフセットＸについて、Ｘはゼロに固定されるか、リソースセットごとに構成可能である。オフセットＸはスロットで測定されることができる。以下の説明では、オフセットＸは、「第１の時間オフセット」又は「第１のオフセット」と呼ばれることもある。Ａ−ＣＳＩレポート用の別の時間オフセットＹも３ＧＰＰ仕様の作業で合意されている。時間オフセットＹは、トリガーシグナリングによって示されることができる。つまり、ＰＵＳＣＨのタイミングを示すために用いられるべきＤＣＩは、時間オフセットＹの指示に使用されることができる。具体的には、時間オフセットＹの値の集合は、上位レイヤシグナリングを介して事前設定されることができる。その後、異なる条件に応じて値の集合のうちの１つを選択でき、選択された時間オフセットＹの値をＤＣＩで示すことができる。以下の説明では、オフセットＹは、「第２の時間オフセット」又は「第２のオフセット」と呼ばれることもある。スロットベースのスケジューリングにおいて、ＵＬ割り当て（例えば、ＰＵＳＣＨのタイミングを示すＤＣＩを搬送するＰＤＣＣＨ）がスロットＮで伝送される場合、ＰＵＳＣＨはスロットＮ＋Ｋ２で伝送されることも合意されている。以下の説明では、オフセットＫ２は、「第３の時間オフセット」又は「第３のオフセット」と呼ばれることもある。
【００３５】
ＮＲにおいて、時間オフセットＹの開始位置は、３ＧＰＰ仕様の作業では指定されていない。さらに、これらの異なるオフセットに基づくＣＳＩレポートの詳細なソリューションはまだ提供されていない。そこで、上記問題及び１つ又は複数の他の潜在的な問題を解決できるＣＳＩ伝送のためのソリューションが提案される。
【００３６】
以下、本開示の原理及び実施について、本開示の実施に係るＣＳＩ伝送のためのプロセス２００を示す図２を参照して詳細に説明する。説明の目的で、図１を参照してプロセス２００を説明する。プロセス２００は、図１におけるネットワークデバイス１１０及び端末デバイス１２０に関わる。
【００３７】
図２に示すように、いくつかの実施形態では、ネットワークデバイス１１０は、ＤＣＩを端末デバイス１１０に伝送する（２１０）。
【００３８】
いくつかの実施形態では、ＤＣＩは、ＣＳＩを決定するためのＣＳＩ−ＲＳを端末デバイス１２０に示すことができる。例えば、ＤＣＩは、Ｐ−ＣＳＩ−ＲＳ、ＳＰ−ＣＳＩ−ＲＳ又はＡ−ＣＳＩ−ＲＳに基づいてＡ−ＣＳＩを決定可能であることを示す。いくつかの実施形態では、ＤＣＩは、ＣＳＩに関連するタイミング情報も示し得る。例えば、タイミング情報は、ネットワークデバイス１１０が非周期的ＣＳＩ−ＲＳを伝送するための第１の時間オフセット（即ち、オフセットＸ）、端末デバイス１２０がＣＳＩを伝送するための第２の時間オフセット（即ち、オフセットＹ）、ＰＵＳＣＨ伝送のための第３の時間オフセット（即ち、オフセットＫ２）のうち、少なくとも１つを含み得る。特定の時間オフセット（例えば、オフセットＸ、Ｙ、Ｋ２のいずれか）について、そのための値の集合は、上位レイヤシグナリングを介して端末デバイス１２０に事前設定されることができる。異なる条件に応じて値の集合のうちの１つを選択でき、選択された特定の時間オフセットの値をＤＣＩで示すことができる。
【００３９】
いくつかの実施形態では、ネットワークデバイス１１０からのＤＣＩの受信に応答して、端末デバイス１２０は、少なくともＤＣＩに基づいて、ＣＳＩをネットワークデバイス１１０に伝送するための構成を決定する（２２０）。同様に、端末デバイス１２０と同様の方法で、ネットワークデバイス１１０は、少なくともＤＣＩに基づいて、端末デバイス１２０からＣＳＩを受信するための構成を決定する（２３０）ことができる。
【００４０】
簡略化のためだけに、以下の説明では、ＣＳＩ伝送のための構成の決定について、端末デバイス１２０側から説明する。しかし、これは、本開示に対していかなる制限を示唆することなく、例示の目的のみであることを理解されたい。また、ネットワークデバイス１１０は、端末デバイス１２０と同様の方法でＣＳＩを受信するための構成を決定できることを理解されたい。
【００４１】
いくつかの実施形態では、端末デバイス１２０は、ＣＳＩをネットワークデバイス１１０に伝送するためのチャネルを決定し得る。例えば、Ａ−ＣＳＩを伝送するためのチャネルは、ＰＵＳＣＨ又はＰＵＣＣＨであり得る。代替的又は追加的に、いくつかの実施形態では、端末デバイス１２０は、時間オフセットＸ、Ｙ、及びＫ２のうちの少なくとも１つに基づいて、時間領域でＣＳＩを伝送するための位置を決定してもよい。
【００４２】
いくつかの実施形態では、ＤＣＩは、時間オフセットＹの値を示し得る。端末デバイス１２０は、時間オフセットＹの開始位置を決定し、その後、時間オフセットＹの開始位置と時間オフセットＹの値に基づいて、時間領域でＣＳＩを伝送するための位置を決定し得る。
【００４３】
いくつかの実施形態では、時間オフセットＹの開始位置は、場合によっては異なってもよい。具体的には、時間オフセットＹはスロット又はシンボルで測定されることができる。
【００４４】
一実施形態では、例えば、ＤＣＩはＡ−ＣＳＩがＰ−ＣＳＩ−ＲＳ又はＳＰ−ＣＳＩ−ＲＳに基づいて決定されることを示す場合、時間オフセットＹの開始位置は、ＤＣＩを搬送するＰＤＣＣＨの末尾として決定されることができる。一実施形態では、時間オフセットＹの開始位置は、ＤＣＩを搬送するＰＤＣＣＨの最後のシンボルとして決定されることができる。仮にＡ−ＣＳＩがＰＵＳＣＨで伝送されるとすると、この場合、時間オフセットＹは、ＤＣＩを搬送するＰＤＣＣＨの最後のシンボルとＡ−ＣＳＩを搬送するＰＵＳＣＨの最初のシンボルとの間のシンボル数を表すことができる。別の実施形態では、時間オフセットＹの開始位置は、ＤＣＩを搬送するＰＤＣＣＨを有するスロットの末尾として決定され得る。仮にＡ−ＣＳＩがＰＵＳＣＨで伝送されるとすると、この場合、時間オフセットＹは、ＤＣＩを搬送するＰＤＣＣＨを有するスロットの末尾とＡ−ＣＳＩを搬送するＰＵＳＣＨを有するスロットの開始との間のスロット数を表すことができる。例えば、ＤＣＩを搬送するＰＤＣＣＨを有するスロットの末尾は、ＰＤＣＣＨのヌメロロジー（ｎｅｍｅｒｏｌｏｇｙ）及びＰＵＳＣＨのヌメロロジーのうちの少なくとも１つに基づいて決定されてもよい。例えば、スロットの数Ｙは、ＰＵＳＣＨのヌメロロジーに基づいて決定されてもよい。例えば、ＰＵＳＣＨを有するスロットの開始は、ＰＤＣＣＨのヌメロロジー及びＰＵＳＣＨのヌメロロジーのうちの少なくとも１つを用いて決定されてもよい。図３Ａ及び３Ｂは、このような実施形態の例を示す。
【００４５】
いくつかの実施形態では、図３Ａに示すように、Ａ−ＣＳＩ  ３１３は、ＤＣＩ  ３１２の伝送の前に伝送されるＰ−ＣＳＩ−ＲＳ又はＳＰ−ＣＳＩ−ＲＳ  ３１１に基づいて決定され得る。この場合、時間オフセットＹの開始位置は、ＤＣＩ  ３１２を搬送するＰＤＣＣＨの最後のシンボルとして決定されることができる。図３Ａに示すように、時間オフセットＹは、ＤＣＩ  ３１２を搬送するＰＤＣＣＨの最後のシンボルとＡ−ＣＳＩ  ３１３を搬送するＰＵＳＣＨの最初のシンボルとの間のシンボル数を表すことができる。つまり、Ｙ＝Δ１。
【００４６】
いくつかの実施形態では、図３Ｂに示すように、Ａ−ＣＳＩ  ３２３は、ＤＣＩ  ３２２の伝送の前又は後に伝送されるＰ−ＣＳＩ−ＲＳ又はＳＰ−ＣＳＩ−ＲＳ  ３２１に基づいて決定され得る。この場合、時間オフセットＹの開始位置は、ＤＣＩ  ３２２を搬送するＰＤＣＣＨの最後のシンボルとして決定されることができる。図３Ｂに示すように、時間オフセットＹは、ＤＣＩ  ３２２を搬送するＰＤＣＣＨの最後のシンボルとＡ−ＣＳＩ  ３２３を搬送するＰＵＳＣＨの最初のシンボルとの間のシンボルの数を表すことができる。つまり、Ｙ＝Δ１。
【００４７】
別の実施形態では、例えば、ＤＣＩはＡ−ＣＳＩがＡ−ＣＳＩ−ＲＳに基づいて決定されることを示す場合、時間オフセットＹの開始位置は、Ａ−ＣＳＩ−ＲＳの末尾として決定され得る。一実施形態では、時間オフセットＹの開始位置は、Ａ−ＣＳＩ−ＲＳの最後のシンボルとして決定されることができる。仮にＡ−ＣＳＩがＰＵＳＣＨで伝送されるとすると、この場合、時間オフセットＹは、Ａ−ＣＳＩ−ＲＳの最後のシンボルとＡ−ＣＳＩを搬送するＰＵＳＣＨの最初のシンボルとの間のシンボル数を表すことができる。別の実施形態では、時間オフセットＹの開始位置は、Ａ−ＣＳＩ−ＲＳを有するスロットの末尾として決定されてもよい。仮にＡ−ＣＳＩがＰＵＳＣＨで伝送されるとすると、この場合、時間オフセットＹは、Ａ−ＣＳＩ−ＲＳを有するスロットの末尾とＡ−ＣＳＩを搬送するＰＵＳＣＨを有するスロットの開始との間のスロット数を表すことができる。例えば、Ａ−ＣＳＩ−ＲＳを有するスロットの末尾は、Ａ−ＣＳＩ−ＲＳのヌメロロジー、ＰＵＳＣＨのヌメロロジー、及びＰＤＣＣＨのヌメロロジーのうちの少なくとも１つに基づいて決定されてもよい。例えば、スロット数Ｙは、ＰＵＳＣＨのヌメロロジーに基づいて決定されてもよい。例えば、ＰＵＳＣＨを有するスロットの開始は、Ａ−ＣＳＩ−ＲＳのヌメロロジー、ＰＵＳＣＨのヌメロロジー、及びＰＤＣＣＨのヌメロロジーのうちの少なくとも１つに基づいて決定されてもよい。例えば、Ａ−ＣＳＩ−ＲＳは、ＤＣＩを搬送するＰＤＣＣＨによってトリガーされてもよい。該ＰＤＣＣＨは、ＡＣＩレポートもトリガーする。図３Ｃは、このような実施形態の例を示す。
【００４８】
いくつかの実施形態では、図３Ｃに示すように、Ａ−ＣＳＩ  ３３３は、ＤＣＩ  ３３２の伝送の後に伝送されるＡ−ＣＳＩ−ＲＳ  ３３１に基づいて決定され得る。この場合、時間オフセットＹの開始位置は、Ａ−ＣＳＩ−ＲＳ  ３３１の最後のシンボルとして決定されることができる。図３Ｃに示すように、時間オフセットＹは、Ａ−ＣＳＩ−ＲＳ  ３３１の最後のシンボルとＡ−ＣＳＩ  ３３３を搬送するＰＵＳＣＨの最初のシンボルとの間のシンボル数を表すことができる。つまり、Ｙ＝Δ２。
【００４９】
上記の例では、オフセットＹはシンボルで測定される。ただし、他のいくつかの実施形態では、オフセットＹはスロットで測定されることもできることを理解されたい。本開示の範囲は、この態様に限定されない。
【００５０】
いくつかの実施形態では、端末デバイス１２０は、オフセットＸ、Ｙ、及び／又はＫ２のそれぞれの粒度を決定することができる。端末デバイス１２０は、さらに、それぞれの粒度に基づいて、時間領域でＣＳＩを伝送するための位置を決定することができる。特定の時間オフセット（例えば、オフセットＸ、Ｙ、Ｋ２のいずれか）は、スロット又はシンボルで測定されることができる。本明細書で使用されるとき、オフセットの粒度とは、スロット又はシンボルの長さである。
【００５１】
いくつかの実施形態では、与えられたヌメロロジーは、サイクリックプレフィックス（ＣＰ：Ｃｙｃｌｉｃ  Ｐｒｅｆｉｘ）の長さ及びサブキャリア間隔（ＳＣＳ：Ｓｕｂｃａｒｒｉｅｒ  Ｓｐａｃｉｎｇ）のうちの少なくとも１つを含み得る。特に、ＤＣＩを搬送するＰＤＣＣＨのヌメロロジー（ＳＣＳなど）と、Ｐ−ＣＳＩ−ＲＳ、ＳＰ−ＣＳＩ−ＲＳ又はＡ−ＣＳＩ−ＲＳのヌメロロジー（ＳＣＳなど）は異なってもよい。一実施形態では、オフセットＸ（即ち、ＤＣＩを搬送するＰＤＣＣＨとＡ−ＣＳＩ−ＲＳとの間のオフセット）の粒度は、Ａ−ＣＳＩ−ＲＳのヌメロロジー（ＳＣＳなど）に基づいて決定されることができる。代替的に、一実施形態では、オフセットＸの粒度は、ＤＣＩを搬送するＰＤＣＣＨのヌメロロジー（ＳＣＳなど）に基づいて決定されてもよい。代替的に、一実施形態では、オフセットＸの粒度は、Ａ−ＣＳＩ−ＲＳのヌメロロジー（ＳＣＳなど）とＤＣＩを搬送するＰＤＣＣＨのヌメロロジーのうちの最大値に基づいて決定されてもよい。代替的に、別の実施形態では、オフセットＸの粒度は、Ａ−ＣＳＩ−ＲＳのヌメロロジー（ＳＣＳなど）とＤＣＩを搬送するＰＤＣＣＨのヌメロロジーのうちの最小値に基づいて決定されてもよい。
【００５２】
いくつかの実施形態では、ＤＣＩを搬送するＰＤＣＣＨのヌメロロジー（ＳＣＳなど）と、Ａ−ＣＳＩを搬送するＰＵＳＣＨのヌメロロジー（ＳＣＳなど）は異なってもよい。いくつかの実施形態では、オフセットＫ２の粒度（即ち、ＰＵＳＣＨとＤＣＩを搬送するＰＤＣＣＨとの間のオフセット）は、ＰＵＳＣＨのヌメロロジーに基づいて決定されることができる。
【００５３】
ＮＲでは、通常のアップリンクに加えて、補助アップリンク（ＳＵＬ：Ｓｕｐｐｌｅｍｅｎｔａｒｙ  Ｕｐｌｉｎｋ）をサポートすることができる。ＵＬとＳＵＬでのＰＵＳＣＨ／ＰＵＣＣＨのヌメロロジー（ＳＣＳなど）は異ってもよい。いくつかの実施形態では、ＵＬ及びＳＵＬに対して各々のオフセット値の集合を設定することができる。オフセット値の各集合におけるオフセットは、以下の少なくとも１つであってもよい。アップリンクスケジューリング情報を有するＤＣＩを搬送するＰＤＣＣＨの末尾とアップリンクデータを搬送するＰＵＳＣＨの開始との間のシンボル又はスロットの数、Ａ−ＣＳＩをトリガーするＤＣＩを搬送するＰＤＣＣＨの末尾とＡ−ＣＳＩを搬送するＰＵＳＣＨ／ＰＵＣＣＨの開始との間のシンボル又はスロットの数、Ａ−ＣＳＩ−ＲＳをトリガーするＤＣＩを搬送するＰＤＣＣＨの末尾とＡ−ＣＳＩ−ＲＳ伝送の開始との間のシンボル又はスロットの数、及びＡ−ＣＳＩ−ＲＳ伝送の末尾とＡ−ＣＳＩを搬送するＰＵＳＣＨ／ＰＵＣＣＨの開始との間のシンボル又はスロットの数。一実施形態では、オフセット値の第１の集合ＡがＵＬに対して設定され、オフセット値の第２の集合ＢがＳＵＬに対して設定されてもよい。一実施形態では、第１の集合Ａにおける少なくとも１つの値は、第２の集合Ｂにおけるいずれの値と異なり、或いは、第２の集合Ｂにおける少なくとも１つの値は、第１の集合Ａにおけるいずれの値と異なってもよい。別の実施形態では、第１の集合Ａにおける値の数は、第２の集合Ｂにおける値の数と異なってもよい。例えば、比較的小さいＳＣＳを有するＵＬ又はＳＵＬでのＰＵＳＣＨ／ＰＵＣＣＨのオフセット値の集合における値の数は、比較的大きいＳＣＳを有するＵＬ又はＳＵＬでのＰＵＳＣＨ／ＰＵＣＣＨのオフセット値の集合における値の数よりも、小さくしてもよい。ＵＬでのＰＵＳＣＨ／ＰＵＣＣＨのＳＣＳがＳ１に設定され、ＳＵＬでのＰＵＳＣＨ／ＰＵＣＣＨのＳＣＳがＳ２に設定されることを想定する。例えば、Ｓ１＞Ｓ２の場合、第１の集合Ａにおける値の数は、第２の集合Ｂにおける値の数よりも小さくしてもよい。別の例として、Ｓ１＞Ｓ２の場合、第１の集合Ａにおける値の数は、第２の集合Ｂにおける値の数よりも大きくしてもよい。別の例として、Ｓ１＜Ｓ２の場合、第１の集合Ａにおける値の数は、第２の集合Ｂにおける値の数よりも小さくしてもよい。別の例として、Ｓ１＜Ｓ２の場合、第１の集合Ａにおける値の数は、第２の集合Ｂにおける値の数よりも大きくしてもよい。
【００５４】
いくつかの実施形態では、設定されたオフセット値は、ＵＬのヌメロロジー（ＳＣＳなど）に基づくことができ、ＳＵＬのそれぞれのオフセット値は、ＵＬのために設定されたオフセット値から得られることができる。いくつかの実施形態では、設定されたオフセット値は、ＳＵＬのヌメロロジー（ＳＣＳなど）に基づくことができ、ＵＬのそれぞれのオフセット値は、ＳＵＬのために設定されたオフセット値から得られることができる。例えば、ＵＬでのＰＵＳＣＨ／ＰＵＣＣＨのＳＣＳは、Ｓ１に設定され、ＳＵＬでのＰＵＳＣＨ／ＰＵＣＣＨのＳＣＳは、Ｓ２に設定されてもよい。いくつかの実施形態では、オフセット値の集合Ａ（例えば、｛Ａ１、Ａ２、Ａ３…ＡＬ｝、ここで、Ｌは整数であり、Ｌ＞＝１）は、ＵＬに設定されてもよい。次に、ＳＵＬのオフセット値の集合は、｛ｃｅｉｌ（Ａｉ×Ｓ２／Ｓ１）又はｆｌｏｏｒ（Ａｉ×Ｓ２／Ｓ１）｜ｉ∈［１、Ｌ］｝として決定されてもよい。別の例として、ＵＬでのＰＵＳＣＨ／ＰＵＣＣＨのＳＣＳは、Ｓ１に設定され、ＳＵＬでのＰＵＳＣＨ／ＰＵＣＣＨのＳＣＳは、Ｓ２に設定されてもよい。いくつかの実施形態では、オフセット値の集合Ａ（例えば、｛Ａ１、Ａ２、Ａ３…ＡＬ｝、ここで、Ｌは整数であり、Ｌ＞＝１）は、ＳＵＬに設定されてもよい。次に、ＵＬのオフセット値の集合は、｛ｃｅｉｌ（Ａｉ×Ｓ２／Ｓ１）又はｆｌｏｏｒ（Ａｉ×Ｓ２／Ｓ１）｜ｉ∈［１、Ｌ］｝として決定されてもよい。
【００５５】
いくつかの実施形態では、設定されたオフセット値は、ＵＬ又はＳＵＬのための比較的大きなヌメロロジー（ＳＣＳなど）に基づくことができ、比較的小さなヌメロロジー（ＳＣＳなど）を有するＵＬ又はＳＵＬのそれぞれのオフセット値は、比較的大きなヌメロロジー（ＳＣＳなど）を有するＵＬ又はＳＵＬの設定されたオフセット値から得られることができる。ＵＬでのＰＵＳＣＨ／ＰＵＣＣＨのＳＣＳがＳ１に設定され、ＳＵＬでのＰＵＳＣＨ／ＰＵＣＣＨのＳＣＳがＳ２に設定されることを想定する。例えば、Ｓ１＞Ｓ２の場合、オフセット値の集合Ａ（例えば、｛Ａ１、Ａ２、Ａ３…ＡＬ｝であり、ここで、Ｌは整数であり、Ｌ＞＝１）は、ＳＣＳ  Ｓ１に基づいて設定されてもよい。そして、ＳＣＳ  Ｓ２に基づくＳＵＬ又はＵＬのオフセット値の集合は、｛ｃｅｉｌ（Ａｉ×Ｓ２／Ｓ１）又はｆｌｏｏｒ（Ａｉ×Ｓ２／Ｓ１）｜ｉ∈［１、Ｌ］｝として決定されてもよい。別の例として、Ｓ１＜Ｓ２の場合、オフセット値の集合Ａ（例えば、｛Ａ１、Ａ２、Ａ３…ＡＬ｝であり、ここで、Ｌは整数であり、Ｌ＞＝１）は、ＳＣＳ  Ｓ２に基づいて設定されてもよい。そして、ＳＣＳ  Ｓ１に基づくＳＵＬ又はＵＬのオフセット値の集合は、｛ｃｅｉｌ（Ａｉ×Ｓ１／Ｓ２）又はｆｌｏｏｒ（Ａｉ×Ｓ２／Ｓ１）｜ｉ∈［１、Ｌ］｝として決定されてもよい。
【００５６】
いくつかの実施形態では、設定されたオフセット値は、ＵＬ又はＳＵＬのための比較的小さなヌメロロジー（ＳＣＳなど）に基づくことができ、比較的大きなヌメロロジー（ＳＣＳなど）を有するＵＬ又はＳＵＬのそれぞれのオフセット値は、比較的小さなヌメロロジー（ＳＣＳなど）を有するＵＬ又はＳＵＬの設定されたオフセット値から得られることができる。ＵＬでのＰＵＳＣＨ／ＰＵＣＣＨのＳＣＳがＳ１に設定され、ＳＵＬでのＰＵＳＣＨ／ＰＵＣＣＨのＳＣＳがＳ２に設定されることを想定する。例えば、Ｓ１＜Ｓ２の場合、オフセット値の集合Ａ（例えば、｛Ａ１、Ａ２、Ａ３…ＡＬ｝であり、ここで、Ｌは整数であり、Ｌ＞＝１）は、ＳＣＳ  Ｓ１に基づいて設定されてもよい。そして、ＳＣＳ  Ｓ２に基づくＳＵＬ又はＵＬのオフセット値の集合は、｛ｃｅｉｌ（Ａｉ×Ｓ２／Ｓ１）又はｆｌｏｏｒ（Ａｉ×Ｓ２／Ｓ１）｜ｉ∈［１、Ｌ］｝として決定されてもよい。別の例として、Ｓ１＞Ｓ２の場合、オフセット値の集合Ａ（例えば、｛Ａ１、Ａ２、Ａ３…ＡＬ｝であり、ここで、Ｌは整数であり、Ｌ＞＝１）は、ＳＣＳ  Ｓ２に基づいて設定されてもよい。そして、ＳＣＳ  Ｓ１に基づくＳＵＬ又はＵＬのオフセット値の集合は、｛ｃｅｉｌ（Ａｉ×Ｓ１／Ｓ２）又はｆｌｏｏｒ（Ａｉ×Ｓ２／Ｓ１）｜ｉ∈［１、Ｌ］｝として決定されてもよい。
【００５７】
例えば、ＵＬ用のＳＣＳが３０ｋＨｚであり、ＳＵＬ用のＳＣＳが１５ｋＨｚであることを想定する。ＵＬのオフセット値（例えば、α１で表す）は、端末デバイス１２０に設定されている。例えば、α１は、｛０、１、２、３｝のいずれかであってもよい。いくつかの実施形態では、ＳＵＬの対応するオフセット値は、ｃｅｉｌ（α１×１５ｋＨｚ／３０ｋＨｚ）又はｆｌｏｏｒ（α１×１５ｋＨｚ／３０ｋＨｚ）として決定されてもよい。具体的には、いくつかの実施形態では、例えばβ未満のいくつかのオフセット値は、ＳＵＬに利用できない場合がある。例えば、０はＳＵＬでのＣＳＩフィードバックに利用されることができない。
【００５８】
上述したように、いくつかの実施形態では、ＤＣＩは、オフセットＸ、Ｙ及びＫ２の少なくとも１つを示し得る。いくつかの実施形態では、これらのオフセット間に何らかの依存性が存在する可能性がある。いくつかの実施形態では、端末デバイス１２０は、これらの異なるオフセット間の依存性に基づいて、ＣＳＩを伝送するための構成を決定することができる。
【００５９】
いくつかの実施形態では、Ａ−ＣＳＩは、ＰＵＳＣＨで伝送され（即ち、Ａ−ＣＳＩ伝送は、アップリンクデータ伝送と多重化される）、Ａ−ＣＳＩは、Ａ−ＣＳＩ−ＲＳに基づいて決定される。オフセットＸ、Ｙ、Ｋ２の全てはＤＣＩで示され、オフセットＹは、Ａ−ＣＳＩを搬送するＰＵＳＣＨとＡ−ＣＳＩ−ＲＳとの間のオフセット（図３Ｃに示す例など）であってもよい。一実施形態では、Ｘ＋Ｙ≦Ｋ２の場合、ＰＵＳＣＨでＡ−ＣＳＩを伝送するための位置は、オフセットＫ２に基づいて決定され得る。代替的に、別の実施形態では、Ｘ＋Ｙ＞Ｋ２の場合、Ａ−ＣＳＩフィードバックがなくてもよい。代替的に、さらに別の実施形態では、Ｘ＋Ｙ＞Ｋ２の場合、ＰＵＳＣＨでのデータ伝送がなく、ＰＵＳＣＨでＡ−ＣＳＩを伝送するための位置は、オフセット（Ｘ＋Ｙ）に基づいて決定されてもよい。代替的に、さらに別の実施形態では、Ｘ＋Ｙ＞Ｋ２の場合、ＰＵＳＣＨでデータを伝送するための位置は、オフセットＫ２に基づいて決定され、ＰＵＳＣＨでＡ−ＣＳＩを伝送するための位置は、オフセット（Ｘ＋Ｙ）に基づいて決定されてもよい。
【００６０】
いくつかの実施形態では、オフセットＸ、Ｙ、及び／又はＫ２のそれぞれの粒度は、異なってもよい。オフセットＸ、Ｙ、又はＫ２は、絶対持続期間を表すことができる。例えば、オフセットＸは、与えられたＳＣＳに基づいてＸ個のシンボル又はスロットを有する絶対持続期間を表してもよい。別の例として、オフセットＹは、与えられたＳＣＳに基づいてＹ個のシンボル又はスロットを有する絶対持続期間を表してもよい。さらに別の例として、オフセットＫ２は、与えられたＳＣＳに基づいてＫ２個のシンボル又はスロットを有する絶対持続期間を表してもよい。
【００６１】
いくつかの実施形態では、Ａ−ＣＳＩは、ＰＵＳＣＨで伝送され（即ち、Ａ−ＣＳＩ伝送は、アップリンクデータ伝送と多重化される）、Ａ−ＣＳＩは、Ａ−ＣＳＩ−ＲＳに基づいて決定される。オフセットＸ、Ｙ、Ｋ２の全てはＤＣＩで示され、オフセットＹは、ＤＣＩを搬送するＰＤＣＣＨとＡ−ＣＳＩを搬送するＰＵＳＣＨとの間のオフセット（図３Ａ及び３Ｂに示す例など）であってもよい。一実施形態では、Ｙ≦Ｋ２の場合、ＰＵＳＣＨでＡ−ＣＳＩを伝送するための位置は、オフセットＫ２に基づいて決定され得る。代替的に、別の実施形態では、Ｙ＞Ｋ２の場合、Ａ−ＣＳＩフィードバックがなくてもよい。代替的に、さらに別の実施形態では、Ｙ＞Ｋ２の場合、ＰＵＳＣＨでのデータ伝送がなく、ＰＵＳＣＨでＡ−ＣＳＩを伝送するための位置は、オフセットＹに基づいて決定されてもよい。代替的に、さらに別の実施形態では、Ｙ＞Ｋ２の場合、ＰＵＳＣＨでデータを伝送する位置は、オフセットＫ２に基づいて決定され、ＰＵＳＣＨでＡ−ＣＳＩを伝送する位置は、オフセットＹに基づいて決定されてもよい。
【００６２】
いくつかの実施形態では、Ａ−ＣＳＩは、ＰＵＳＣＨで伝送され（即ち、Ａ−ＣＳＩ伝送は、アップリンクデータ伝送と多重化される）、Ａ−ＣＳＩは、Ａ−ＣＳＩ−ＲＳに基づいて決定される。ＤＣＩは、オフセットＸではなく、オフセットＹ及びＫ２のみを示してもよい。一実施形態では、オフセットＹがＡ−ＣＳＩを搬送するＰＵＳＣＨとＡ−ＣＳＩ−ＲＳとの間のオフセット（例えば、図３Ｃに示す例など）である場合、オフセットＸはオフセットＹ及びＫ２から得られることができる。例えば、この場合、Ｘ＝Ｋ２−Ｙである。別の例として、オフセットＸ（即ち、ＤＣＩとＡ−ＣＳＩ−ＲＳとの間のオフセット）は、ＳＣＳ値Ｓ１に、オフセットＹ（即ち、Ａ−ＣＳＩ−ＲＳとＡ−ＣＳＩとの間のオフセット）は、ＳＣＳ値Ｓ２に、オフセットＫ２（即ち、ＤＣＩとＰＵＳＣＨとの間のオフセット）は、ＳＣＳ値Ｓ２に、それぞれ基づいてもよい。この場合、Ｘ＝ｃｅｉｌ（（Ｋ２−Ｙ）×Ｓ１／Ｓ２）又はＸ＝ｆｌｏｏｒ（（Ｋ２−Ｙ）×Ｓ１／Ｓ２）。つまり、ＤＣＩにおいてオフセットＸを明示的に示す必要がない場合がある。
【００６３】
いくつかの実施形態では、上述したように、端末デバイス１２０は、Ａ−ＣＳＩをネットワークデバイス１１０に伝送するためのチャネルを決定することができる。例えば、Ａ−ＣＳＩを伝送するためのチャネルは、ＰＵＳＣＨ又はＰＵＣＣＨであってもよい。Ａ−ＣＳＩがＰＵＳＣＨで伝送される（つまり、アップリンクデータ伝送と多重化される）と、レートマッチングがＰＵＳＣＨで実行される。レートマッチング後のコードレートが所定の閾値を超えると、Ａ−ＣＳＩはドロップされる。即ち、レートマッチング後のコードレートが所定の閾値を超えると、Ａ−ＣＳＩはＰＵＳＣＨで伝送されない。
【００６４】
いくつかの実施形態では、複数のＣＳＩレポートは、ＰＵＳＣＨと多重化されることができる。いくつかの実施形態では、複数のＣＳＩレポートは、ＲＩ（Ｒａｎｋ  Ｉｎｄｉｃａｔｏｒ）、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＳＬＩ（Ｓｔｒｏｎｇｅｓｔ  Ｌａｙｅｒ  Ｉｎｄｉｃａｔｏｒ）などを含み得るが、これらに限定されない。いくつかの実施形態では、複数のＣＳＩレポートは、Ｐ−ＣＳＩ−ＲＳ、ＳＰ−ＣＳＩ−ＲＳ又はＡ−ＣＳＩ−ＲＳに基づいて決定されてもよい。いくつかの実施形態では、複数のＣＳＩレポートがＰＵＳＣＨと多重化される場合、レートマッチングがＰＵＳＣＨで実行される。レートマッチング後のコードレートが所定の閾値を超えると、コードレートが所定の閾値を下回るまで、複数のＣＳＩレポートの一部がドロップされる。具体的には、いくつかの実施形態では、異なるＣＳＩレポートは異なる優先度を有し、ＣＳＩレポートは所定の順位でドロップされることができる。例えば、優先度の低いＣＳＩレポートは、優先度の高い別のＣＳＩレポートよりも先にドロップされる。
【００６５】
いくつかの実施形態では、異なるＣＳＩレポートは、異なるオフセット値（例えば、オフセットＸ、Ｙ又はＫ２など）に関連付けられることができる。異なるＣＳＩレポートを含むＰＵＳＣＨのオフセットは、異なるオフセット値の最大値に基づいて決定されることができる。
【００６６】
いくつかの実施形態では、一部のＣＳＩレポートがドロップされる場合、Ａ−ＣＳＩの最終的なオフセット値は、ドロップされていないＣＳＩレポートのオフセット値に基づいて決定されることができる。例えば、レートマッチングに起因して一部のＣＳＩレポートがドロップされる可能性がある。Ａ−ＣＳＩの最終的なオフセットは、ドロップされていないＣＳＩレポートのオフセット値のうちの新たな最大値に基づいて決定されることができる。
【００６７】
代替的に、いくつかの他の実施形態では、一部のＣＳＩレポートがドロップされる場合、Ａ−ＣＳＩの最終的なオフセット値は変更されなくてもよい。例えば、ＣＳＩレポートの１つが最大のオフセット値に関連付けられ、かつ、レートマッチングに起因してドロップされる場合、Ａ−ＣＳＩの最終的なオフセットは、依然として、ドロップされたＣＳＩレポートの最大オフセット値として決定される。
【００６８】
いくつかの実施形態では、Ａ−ＣＳＩは、ＰＵＣＣＨ又はＰＵＳＣＨで伝送されることができる。Ａ−ＣＳＩがＰＵＣＣＨで伝送されるか、それともＰＵＳＣＨで伝送されるかは、ＤＣＩフォーマットに基づいて決定され得る。一実施形態では、Ａ−ＣＳＩは、ダウンリンクに関するＤＣＩフォーマットによってトリガーされる場合、ＰＵＣＣＨで伝送され得る。例えば、ＤＣＩは、ダウンリンクの割り当て（例えば、ＤＣＩフォーマット１＿０又は１＿１）に使用されてもよい。別の例として、Ａ−ＣＳＩは、アップリンクに関するＤＣＩフォーマットによってトリガーされる場合、ＰＵＳＣＨで伝送され得る。例えば、ＤＣＩは、アップリンクの割り当て（例えば、ＤＣＩフォーマット０＿０又は０＿１）に使用されてもよい。いくつかの実施形態では、同じスロットにＡ−ＣＳＩに対してトリガーされるＰＵＣＣＨ及びＰＵＳＣＨがあってもよい。一実施形態では、ＰＵＣＣＨ及びＰＵＳＣＨは、ＴＤＭ（Ｔｉｍｅ  Ｄｉｖｉｓｉｏｎ  Ｍｕｌｔｉｐｌｅｘｉｎｇ）技術又はＦＤＭ（Ｆｒｅｑｕｅｎｃｙ  Ｄｉｖｉｓｉｏｎ  Ｍｕｌｔｉｐｌｅｘｉｎｇ）技術に基づいて多重化されてもよい。別の実施形態では、ＰＵＣＣＨはドロップされてもよい。さらに別の実施形態では、Ａ−ＣＳＩ又はＰＵＣＣＨでの肯定応答（ＡＣＫ）／否定応答（ＮＡＣＫ）は、同じスロットにおいてＰＵＳＣＨで伝送されてもよい。
【００６９】
いくつかの実施形態では、ＤＣＩにおいて、オフセット値のためのビットフィールドが含まれてもよい。Ａ−ＣＳＩ又はＨＡＲＱ−ＡＣＫの異なる伝送によって、オフセット値の集合は異なってもよい。例えば、オフセット値の第１の集合Ｂ１は、ＨＡＲＱ−ＡＣＫのみの伝送に使用されてもよい。オフセット値の第２の集合Ｂ２は、Ａ−ＣＳＩのみの伝送に使用されてもよい。オフセット値の第３の集合Ｂ３は、ＨＡＲＱ−ＡＣＫ及びＡ−ＣＳＩ両方の伝送に使用されてもよい。一実施形態では、ＨＡＲＱ−ＡＣＫ及びＡ−ＣＳＩの両方が同じＤＣＩによってトリガーされると、ＨＡＲＱ−ＡＣＫ及びＡ−ＣＳＩ伝送のためのオフセットは、ＨＡＲＱ伝送のためのオフセットとＡ−ＣＳＩ伝送のためのオフセットのうち、比較的大きい方であってもよい。別の実施形態では、ＨＡＲＱ−ＡＣＫ及びＡ−ＣＳＩの両方が同じＤＣＩによってトリガーされると、ＨＡＲＱ−ＡＣＫ伝送のためのオフセットとＡ−ＣＳＩ伝送のためのオフセットは、互いに独立してもよい。例えば、ＨＡＲＱ−ＡＣＫ伝送は、第１の集合Ｂ１で示されるオフセット値に、Ａ−ＣＳＩ伝送は、第２の集合Ｂ２で示されるオフセット値にそれぞれ基づいて行われてもよい。
【００７０】
図２に戻ると、動作２１０の前又は後に、ネットワークデバイス１１０は、ダウンリンクチャネルのＣＳＩを決定するためのＣＳＩ−ＲＳ（図２に示されていない）を端末デバイス１２０に伝送する。例えば、ＣＳＩ−ＲＳは、Ｐ−ＣＳＩ−ＲＳ、ＳＰ−ＣＳＩ−ＲＳ又はＡ−ＣＳＩ−ＲＳであってもよい。端末デバイス１２０に伝送されるＤＣＩは、ＣＳＩがＣＳＩ−ＲＳに基づいて決定されることを示す。ネットワークデバイス１１０からＣＳＩ−ＲＳを受信したことに応答して、端末デバイス１２０は、ＣＳＩ−ＲＳを測定することによってＣＳＩを決定する（２４０）。その後、端末デバイス１２０は、動作２２０で決定された構成に基づいてＣＳＩをネットワークデバイス１１０に伝送する。同様に、ネットワークデバイス１１０は、動作２３０で決定された構成に基づいて端末デバイスからＣＳＩを受信する。
【００７１】
図４は、本開示のいくつかの実施形態に係る例示的な方法４００のフローチャートを示す。方法４００は、図１に示す端末デバイス１２０で実施することができる。検討の目的のために、図１を参照して端末デバイス１２０側から方法４００を説明する。
【００７２】
ブロック４１０において、ネットワークデバイス１１０からダウンリンク制御情報（ＤＣＩ）を受信したことに応答して、端末デバイス１２０は、少なくとも、ＤＣＩに基づいて、チャネル状態情報（ＣＳＩ）をネットワークデバイス１１０に伝送するための構成を決定する。ＤＣＩは、ＣＳＩを決定するためのチャネル状態情報参照信号（ＣＳＩ−ＲＳ）及びＣＳＩに関連するタイミング情報を示す。
【００７３】
いくつかの実施形態では、タイミング情報は、ネットワークデバイスが非周期的ＣＳＩ−ＲＳを伝送するための第１の時間オフセット、端末デバイスがＣＳＩを伝送するための第２の時間オフセット、物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）伝送のための第３の時間オフセットのうち、少なくとも１つを含む。
【００７４】
いくつかの実施形態では、端末デバイス１２０は、第１、第２及び第３の時間オフセットの少なくとも１つに基づいて、時間領域でＣＳＩを伝送するための位置を決定する。
【００７５】
いくつかの実施形態では、タイミング情報は、第２の時間オフセットを含む。端末デバイス１２０は、時間領域で第２の時間オフセットの開始位置を決定することができる。端末デバイス１２０は、開始位置及び第２の時間オフセットに基づいて、時間領域でＣＳＩを伝送するための位置をさらとして決定することができる。
【００７６】
いくつかの実施形態では、端末デバイス１２０は、ＣＳＩが周期的又は半永続的ＣＳＩ−ＲＳに基づいて決定されることを示すＤＣＩに応答して、第２の時間オフセットの開始位置を、ＤＣＩを搬送する物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）の最後のシンボルとして決定する。
【００７７】
いくつかの実施形態では、端末デバイス１２０は、ＣＳＩが非周期的ＣＳＩ−ＲＳに基づいて決定されることを示すＤＣＩに応答して、第２の時間オフセットの開始位置を、非周期的ＣＳＩ−ＲＳの最後のシンボルとして決定する。
【００７８】
いくつかの実施形態では、タイミング情報は、第１、第２及び第３の時間オフセットを含む。端末デバイス１２０は、第１、第２、及び第３の時間オフセットの間の関係に基づいて、時間領域でＣＳＩを伝送するための位置を決定する。
【００７９】
いくつかの実施形態では、端末デバイス１２０は、第１、第２及び第３の時間オフセットの少なくとも１つに対して少なくとも１つの粒度を決定する。端末デバイス１２０は、さらに、少なくとも１つの粒度に基づいて、時間領域でＣＳＩを伝送するための位置を決定する。
【００８０】
いくつかの実施形態では、端末デバイス１２０は、ＣＳＩをネットワークデバイスに伝送するためのチャネルを決定する。
【００８１】
ブロック４２０において、ネットワークデバイスからＣＳＩ−ＲＳを受信したことに応答して、端末デバイス１２０は、ＣＳＩ−ＲＳを測定することによってＣＳＩを決定する。
【００８２】
ブロック４３０において、端末デバイス１２０は、構成に基づいてＣＳＩをネットワークデバイス１１０に伝送する。
【００８３】
いくつかの実施形態では、構成は、ＣＳＩがＰＵＳＣＨで伝送されることを示す。端末デバイス１２０は、ＰＵＳＣＨ伝送のコードレートが所定の閾値を下回ることに応答して、ＰＵＳＣＨでＣＳＩをネットワークデバイス１１０に伝送する。
【００８４】
いくつかの実施形態では、ＣＳＩは非周期的であり、ＣＳＩを決定するためのＣＳＩ−ＲＳは、周期的、半永続的又は非周期的であってもよい。
【００８５】
図５は、本開示のいくつかの実施形態に係る例示的な方法５００のフローチャートを示す。方法５００は、図１に示すネットワークデバイス１１０で実施することができる。検討の目的で、図１を参照してネットワークデバイス１１０側から方法５００を説明する。
【００８６】
ブロック５１０において、ネットワークデバイス１１０は、ダウンリンク制御情報（ＤＣＩ）を端末デバイス１２０に伝送する。ＤＣＩは、端末デバイス１２０がチャネル状態情報（ＣＳＩ）を決定するためのチャネル状態情報参照信号（ＣＳＩ−ＲＳ）とＣＳＩに関連するタイミング情報を示す。
【００８７】
いくつかの実施形態では、タイミング情報は、ネットワークデバイスが非周期的ＣＳＩ−ＲＳを伝送するための第１の時間オフセット、端末デバイスがＣＳＩを伝送するための第２の時間オフセット、物理アップリンク共有チャネル（ＰＵＳＣＨ）伝送のための第３の時間オフセットのうち、少なくとも１つを含む。
【００８８】
ブロック５２０において、ネットワークデバイス１１０は、少なくとも、ＤＣＩに基づいて、端末デバイス１２０からＣＳＩを受信するための構成を決定する。
【００８９】
いくつかの実施形態では、ネットワークデバイス１１０は、第１、第２、及び第３の時間オフセットの少なくとも１つに基づいて、時間領域でＣＳＩを受信するための位置を決定する。
【００９０】
いくつかの実施形態では、タイミング情報は、第２の時間オフセットを含む。ネットワークデバイス１１０は、時間領域で第２の時間オフセットの開始位置を決定する。ネットワークデバイス１１０は、開始位置及び第２の時間オフセットに基づいて、時間領域でＣＳＩを受信するための位置を決定する。
【００９１】
いくつかの実施形態では、ネットワークデバイス１１０は、ＣＳＩが周期的又は半永続的ＣＳＩ−ＲＳに基づいて決定されることを示すＤＣＩに応答して、第２の時間オフセットの開始位置を、ＤＣＩを搬送する物理ダウンリンク制御チャネル（ＰＤＣＣＨ）の最後のシンボルとして決定する。
【００９２】
いくつかの実施形態では、ネットワークデバイス１１０は、ＣＳＩが非周期的ＣＳＩ−ＲＳに基づいて決定されることを示すＤＣＩに応答して、第２の時間オフセットの開始位置を、非周期的ＣＳＩ−ＲＳの最後のシンボルとして決定する。
【００９３】
いくつかの実施形態では、タイミング情報は、第１、第２及び第３の時間オフセットを含む。ネットワークデバイス１１０は、第１、第２及び第３の時間オフセットの間の関係に基づいて、時間領域でＣＳＩを受信するための位置を決定する。
【００９４】
いくつかの実施形態では、ネットワークデバイス１１０は、第１、第２及び第３の時間オフセットの少なくとも１つに対して少なくとも１つの粒度を決定する。ネットワークデバイス１１０は、さらに、少なくとも、１つの粒度に基づいて、時間領域でＣＳＩを受信するための位置を決定する。
【００９５】
いくつかの実施形態では、ＣＳＩは非周期的であり、ＣＳＩを決定するためのＣＳＩ−ＲＳは、周期的、半永続的又は非周期的であってもよい。
【００９６】
ブロック５３０において、ネットワークデバイス１１０は、構成に基づいて、端末デバイス１２０からＣＳＩを受信する。
【００９７】
図６は、本開示の実施形態の実施に適するデバイス６００の簡略的なブロック図である。デバイス６００は、図１に示すネットワークデバイス１１０のさらなる例示的なものと見なされることができる。そのため、デバイス６００は、ネットワークデバイス１１０で実施され、又は少なくともその一部として実施されることができる。
【００９８】
図示のように、デバイス６００は、プロセッサ６１０と、プロセッサ６１０に接続されているメモリ６２０と、プロセッサ６１０に接続されている適切な送信機（ＴＸ）及び受信機（ＲＸ）６４０と、ＴＸ／ＲＸ６４０に接続されている通信インターフェイスとを備える。メモリ６２０は、プログラム６３０の少なくとも一部を格納する。ＴＸ／ＲＸ６４０は、双方向通信するためのものである。ＴＸ／ＲＸ６４０は、通信を容易にするために少なくとも１つのアンテナを有するが、実際には、本明細書で言及されるアクセスノードは、いくつかを有してもよい。通信インターフェイスは、ｅＮＢ間の双方向通信用のＸ２インターフェイス、Ｍｏｂｉｌｉｔｙ  Ｍａｎａｇｅｍｅｎｔ  Ｅｎｔｉｔｙ（ＭＭＥ）／Ｓｅｒｖｉｎｇ  Ｇａｔｅｗａｙ（Ｓ−ＧＷ）とｅＮＢとの間の通信用のＳ１インターフェイス、ｅＮＢとリレーノード（ＲＮ：Ｒｅｌａｙ  Ｎｏｄｅ）との間の通信用のＵｎインターフェイス、又はｅＮＢと端末デバイスとの間の通信用のＵｕインターフェイスなど、他のネットワーク要素との通信に必要な任意のインターフェイスを表す。
【００９９】
プログラム６３０は、関連するプロセッサ６１０によって実行されると、本明細書で図１乃至８を参照して説明したように、デバイス６００が本開示の実施形態に従って動作することを可能にするプログラム命令を含むと想定される。本明細書の実施形態は、デバイス６００のプロセッサ６１０により実行可能なコンピュータソフトウェアにより、又はハードウェアにより、又はソフトウェア及びハードウェアの組み合わせにより実施され得る。プロセッサ６１０は、本開示の様々な実施形態を実施するように設定され得る。さらに、プロセッサ６１０及びメモリ６２０の組み合わせは、本開示の様々な実施形態を実施するのに適した処理手段６５０を形成し得る。
【０１００】
メモリ６２０は、ローカル技術ネットワークに適した任意のタイプのものであってもよく、非限定的な例として、非一時的なコンピュータ読み取り可能な記憶媒体、半導体系のメモリデバイス、磁気メモリデバイス及びシステム、光メモリデバイス及びシステム、固定メモリ及びリムーバブルメモリなどの任意の適切なデータストレージ技術を使用して実施されてもよい。デバイス６００には１つのメモリ６２０のみが示されているが、物理的に別個であるいくつかのメモリモジュールがあってもよい。プロセッサ６１０は、ローカル技術ネットワークに適した任意のタイプのものであってもよく、非限定的な例として、汎用コンピュータ、専用コンピュータ、マイクロプロセッサ、デジタル信号プロセッサ（ＤＳＰ：Ｄｉｇｉｔａｌ  Ｓｉｇｎａｌ  Ｐｒｏｃｅｓｓｏｒ）、及び、マルチコアプロセッサアーキテクチャに基づくプロセッサのうちの１つ以上を含んでもよい。デバイス６００は、メインプロセッサを同期させるクロックに時間的に従属する特定用途向け集積回路チップなどの複数のプロセッサを有してもよい。
【０１０１】
一般的に、本開示の様々な実施形態は、ハードウェア又は専用回路、ソフトウェア、ロジック、又はそれらの任意の組み合わせで実施され得る。いくつかの態様はハードウェアで実施され、他の態様はコントローラ、マイクロプロセッサ又は他のコンピューティングデバイスによって実行されるファームウェア又はソフトウェアで実施されてもよい。本開示の実施形態の様々な態様は、ブロック図、フローチャート、又は他の何らかの画像表現を使用して例示及び説明されているが、本明細書で説明されるこれらのブロック、装置、システム、技術又は方法は、非限定的な例として、ハードウェア、ソフトウェア、ファームウェア、専用回路又はロジック、汎用ハードウェア又はコントローラ又は他のコンピューティングデバイス、又はそれらの組み合わせに実施されてもよい。
【０１０２】
本開示は、さらに、非一時的なコンピュータ読み取り可能な記憶媒体に有形に格納された少なくとも１つのコンピュータプログラム製品を提供する。コンピュータプログラム製品は、図１〜図７Ｂのいずれかを参照して上記で説明したプロセス又は方法を実行するために、プログラムモジュールに含まれるものなどの、対象の実プロセッサ又は仮想プロセッサ上のデバイスで実行される、コンピュータ実行可能な命令を含む。一般的に、プログラムモジュールは、特定のタスクを実行する、又は特定の抽象データ型を実装するルーチン、プログラム、ライブラリ、オブジェクト、クラス、コンポーネント、データ構造などを含む。プログラムモジュールの機能は、様々な実施形態で必要に応じてプログラムモジュール間で組み合わせるか、又は分割することができる。プログラムモジュールのためのマシン実行可能な命令は、ローカルデバイス又は分散型デバイスで実行できる。分散型デバイスでは、プログラムモジュールはローカルとリモートのストレージメディアの両方に配置できる。
【０１０３】
本開示の方法を実行するためのプログラムコードは、１つ又は複数のプログラミング言語の任意の組み合わせでコーディングされることができる。これらのプログラムコードは、汎用コンピュータ、専用コンピュータ、又はその他のプログラマブルデータ処理装置のプロセッサ又はコントローラに提供されることによって、プログラムコードがプロセッサ又はコントローラによって実行されると、フローチャート及び／又はブロック図に規定される機能／動作が実現される。プログラムコードは、完全にマシン上で実行されたり、その一部がマシン上で実行されたり、スタンドアロンソフトウェアパッケージとして実行されたり、一部がマシン上で実行され、かつ一部がリモートマシン上で実行されたり、又は完全にリモートマシン又はサーバ上で実行されたりすることができる。
【０１０４】
上記のプログラムコードは、命令実行システム、装置、又はデバイスによって、又はそれらと関連して使用するためのプログラムを含むか、又は格納する任意の有形媒体であり得るマシン読み取り可能な媒体上で具現化され得る。マシン読み取り可能な媒体は、マシン読み取り可能な信号媒体又はマシン読み取り可能な記憶媒体であり得る。マシン読み取り可能な媒体は、電子、磁気、光学、電磁気、赤外線、又は半導体システム、装置、又はデバイス、あるいは前述の任意の適切な組み合わせを含むが、これらに限定されない。マシン読み取り可能記憶媒体のより具体的な例には、１つ又は複数のワイヤによる電気的な接続、ポータブルコンピュータディスケット、ハードディスク、ランダムアクセスメモリ（ＲＡＭ）、読み取り専用メモリ（ＲＯＭ）、消去可能なプログラマブル読み出し専用メモリ（ＥＰＲＯＭ又はフラッシュメモリ）、光ファイバ、ポータブルコンパクトディスク読み取り専用メモリ（ＣＤ−ＲＯＭ）、光学式ストレージデバイス、磁気ストレージデバイス、又は前述の任意の適切な組み合わせが含まれる。
【０１０５】
さらに、操作は特定の順序で図面に描かれているが、これは、望ましい結果を達成するために、そのような操作が図示の特定の順序又は連続順序で実行されること、又はすべての描かれた操作が実行されることを要求するものとして理解されるべきではない。特定の状況では、マルチタスクと並列処理が有利な場合がある。同様に、上記説明にはいくつかの特定の実装の詳細が含まれているが、これらは本開示の範囲の制限としてではなく、特定の実施形態に特有の特徴の説明として解釈されるべきである。別個の実施形態の文脈で記載されている特定の特徴は、単一の実施形態に組み合わせて実施されることもできる。逆に、単一の実施形態の文脈で説明される様々な特徴は、複数の実施形態で別々に、又は任意の適切なサブコンビネーションで実施されることもできる。
【０１０６】
本開示について、構造的特徴及び／又は方法論的動作に特有の用語で説明したが、添付の請求の範囲で限定される本開示は、必ずしも上記の特定の特徴又は動作に限定されないことを理解されたい。むしろ、上記の特定の特徴及び動作は、請求の範囲を実施する例示的な形態として開示されている。
【図１】
2021510250.tif 000003
【図２】
2021510250.tif 000004
【図３Ａ】
2021510250.tif 000005
【図３Ｂ】
2021510250.tif 000006
【図３Ｃ】
2021510250.tif 000007
【図４】
2021510250.tif 000008
【図５】
2021510250.tif 000009
【図６】
2021510250.tif 000010
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
端末デバイスによって実行される方法であって、
チャネル状態情報（ＣＳＩ：Ｃｈａｎｎｅｌ  ｓｔａｔｅ  ｉｎｆｏｒｍａｔｉｏｎ）の構成を含むダウンリンク制御情報（ＤＣＩ：Ｄｏｗｎｌｉｎｋ  ｃｏｎｔｒｏｌ  ｉｎｆｏｒｍａｔｉｏｎ）を受信することと、
第１の時間オフセットと第２の時間オフセットの第１の条件に基づいて前記ＣＳＩを提供するか否かを決定することと、
を備え、
前記第１の時間オフセットの開始位置は、前記ＤＣＩに基づいて決定され、前記第２の時間オフセットの開始位置は、前記ＣＳＩの非周期的信号に基づいて決定され、
前記第１の条件は、前記ＣＳＩを提供する時間位置が、前記ＤＣＩの受信後の前記第１の時間オフセットよりも早くないかどうかを有する、
方法。
【請求項２】
前記第１の時間オフセットは、前記ＤＣＩとアップリンク伝送との間の持続期間に関連する、
請求項１に記載の方法。
【請求項３】
前記第２の時間オフセットは、前記ＣＳＩの前記非周期的信号とアップリンク伝送との間の持続期間に関連する、
請求項１又は２に記載の方法。
【請求項４】
前記第１の時間オフセットの前記開始位置は、前記ＤＣＩを搬送するＰＤＣＣＨの最後のシンボルに基づいて決定され、
前記第２の時間オフセットの前記開始位置は、前記ＣＳＩの前記非周期的信号の最後のシンボルに基づいて決定される、
請求項１から３のいずれか１つに記載の方法。
【請求項５】
前記ＤＣＩのヌメロロジー、前記非周期的信号、及び前記ＣＳＩの伝送に基づいて、前記第１の時間オフセットと前記第２の時間オフセットを決定することをさらに備える、
請求項１から４のいずれか１つに記載の方法。
【請求項６】
前記第１の時間オフセットは、前記ＣＳＩの構成によって示される場合、複数のＣＳＩレポートに対応する複数の前記第１の時間オフセットの最大値に基づいて決定され、
前記第２の時間オフセットは、前記ＣＳＩの構成によって示される場合、前記複数のＣＳＩレポートに対応する複数の前記第２の時間オフセットの最大値に基づいて決定される、
請求項１から５のいずれか１つに記載の方法。
【請求項７】
前記第１の条件は、前記第１の時間オフセットに関連する持続期間が、前記ＤＣＩと前記ＣＳＩを提供する時間位置との間の持続期間以下であるか否かを含む、
請求項１から６のいずれか１つに記載の方法。
【請求項８】
前記ＣＳＩを提供するための前記時間位置が前記ＤＣＩの受信後の前記第１の時間オフセットより早くなく、前記ＣＳＩを提供するための前記時間位置が前記第２の時間オフセットの後である場合、前記ＣＳＩを提供することをさらに備える、
請求項１から７のいずれか１つに記載の方法。
【請求項９】
前記ＣＳＩを提供するための前記時間位置が前記ＤＣＩの前記受信後の前記第１の時間オフセットよりも早い場合、前記ＣＳＩを提供しないこと決定することを、さらに備える、
請求項１から８のいずれか１つに記載の方法。
【請求項１０】
前記第１の時間オフセットと前記第２の時間オフセットのそれぞれは、いくつかのシンボルに対応する、
請求項１から９のいずれか１つに記載の方法。
【請求項１１】
前記非周期的信号は、非周期的ＣＳＩ−ＲＳを含む、
請求項１から１０のいずれか１つに記載の方法。
【請求項１２】
前記ＣＳＩを提供する時間位置が前記ＤＣＩによってトリガされる、
請求項１から１１のいずれか１つに記載の方法。
【請求項１３】
チャネル状態情報（ＣＳＩ：Channel state information）の構成を含むダウンリンク制御情報（ＤＣＩ：Downlink control information）を受信し、
第１の時間オフセットと第２の時間オフセットの第１の条件に基づいて前記ＣＳＩを提供するか否かを決定する、ように構成されたプロセッサを有し、
前記第１の時間オフセットの開始位置は、前記ＤＣＩに基づいて決定され、前記第２の時間オフセットの開始位置は、前記ＣＳＩの非周期的信号に基づいて決定され、
前記第１の条件は、前記ＣＳＩを提供する時間位置が、前記ＤＣＩの受信後の前記第１の時間オフセットよりも早くないかどうかを含む、
端末デバイス。
【請求項１４】
前記第１の時間オフセットは、前記ＣＳＩの構成によって示される場合、複数のＣＳＩレポートに対応する複数の前記第１の時間オフセットの最大値に基づいて決定され、
前記第２の時間オフセットは、前記ＣＳＩの構成によって示される場合、前記複数のＣＳＩレポートに対応する複数の前記第２の時間オフセットの最大値に基づいて決定される、
請求項１３に記載の端末デバイス。
【請求項１５】
前記第１の条件は、前記第１の時間オフセットに関連する持続期間が、前記ＤＣＩと前記ＣＳＩを提供する時間位置との間の持続期間以下であるか否かを含む、
請求項１３又は１４に記載の端末デバイス。
【請求項１６】
ネットワークデバイスによって実行される方法であって、
チャネル状態情報（ＣＳＩ：Channel state information）のレポートをトリガするためのＣＳＩの構成を含むダウンリンク制御情報（ＤＣＩ：Downlink control information）を端末デバイスに伝送することと、
前記ＣＳＩのレポートを前記端末デバイスから受信することと、
を備え、
前記ＣＳＩのレポートは、第１の時間オフセットと第２の時間オフセットの第１の条件に基づいて決定され、
前記第１の時間オフセットの開始位置は、前記ＤＣＩに基づいて決定され、前記第２の時間オフセットの開始位置は、前記ＣＳＩの非周期的信号に基づいて決定され、
前記第１の条件は、前記ＣＳＩを提供する時間位置が、前記ＤＣＩの受信後の前記第１の時間オフセットよりも早くないかどうかを含む、
方法。
【国際調査報告】
2021510250.tif 000011
2021510250.tif 000012